(57)【要約】【課題】オペレータによる荷置操作など以外の何らかの理由でロック状態が解除された場合、これを確実に検出判断できるフォークリフトのパレットロック装置を提供することを目的とする。【解決手段】パレットを押圧してロックするためのロックバーと、該ロックバーをロック動作又はロック解除動作させるための駆動手段と、該駆動手段と上記ロックバーとの間に介在された弾性手段と、上記ロックバーのロック動作時における上記弾性手段の弾性変形量を検出する状態検出手段と、該状態検出手段により上記ロックバーが上記パレットに押圧している状態から該パレットによる押圧を解放された状態への変化が検出されたとき、上記ロックバーによるロックが外れたと判断する制御手段とを備えたことを特徴とするフォークリフトのパレットロック装置を提供する。【選択図】  図１
2004277085.tif 000002
【特許請求の範囲】
【請求項１】
パレットを押圧してロックするためのロックバーと、該ロックバーをロック動作又はロック解除動作させるための駆動手段と、該駆動手段と上記ロックバーとの間に介在された弾性手段と、上記ロックバーのロック動作時における上記弾性手段の弾性変形量を検出する状態検出手段と、該状態検出手段により上記ロックバーが上記パレットに押圧している状態から該パレットによる押圧を解放された状態への変化が検出されたとき、上記ロックバーによるロックが外れたと判断する制御手段とを備えたことを特徴とするフォークリフトのパレットロック装置。
【請求項２】
前記制御手段は、前記ロックバーによるロックが外れたと判断したとき、上記ロックバーをロック解除動作させるよう前記駆動手段を制御することを特徴とする請求項１に記載のフォークリフトのパレットロック装置。
【発明の詳細な説明】
【０００１】
【発明の属する技術分野】
本発明はフォークリフトに設けられ、フォークに挿入されたパレットをロックするためのパレットロック装置に関する。
【０００２】
【従来の技術】
従来、例えばオーダーピッキングトラックのようにフォークで荷置面から持上げられているパレットにオペレータが乗り移って荷物を積み下ろしするフォークリフトにおいては、荷物の積み下しやパレット上でのオペレータの位置により荷重の重心位置が変動するので、この荷重重心の変動によるパレットの傾斜、横滑り、揺動などを防止するために、フォークで支持しているパレットをフォークに対して固定するパレットロック装置が設けられる。
【０００３】
上記パレットロック装置の例としては下記の特許文献に示されるものがある。
【特許文献１】
特開平１１−２２８０８５号公報
【特許文献２】
特開平１０−２９１７９０号公報
【特許文献３】
特開２００１−３１６０９５号公報
【特許文献４】
特開２００２−１２３９７号公報
【０００４】
【発明が解決しようとする課題】
これらの文献に記載されたパレットロック装置は何れも手動で操作されるものであり、その操作忘れを解消することができない。このため、本発明の発明者は駆動装置により自動的にパレットをロックすることを検討したが、この場合、装置の作動ミスに対応する方策が必要となる。特に、車体の振動などによりパレットのロックが外れた場合、これを確実に判別し、問題の解消を図る必要がある。
【０００５】
本発明は、このような観点より提案されたものであり、パレットロック装置を従来の手動式でなく自動化すると共に、パレットのロック外れにも充分に対応できる装置を提供することを目的とする。
【０００６】
【課題を解決するための手段】
上記課題を達成するため、第１の発明は、パレットを押圧してロックするためのロックバーと、該ロックバーをロック動作又はロック解除動作させるための駆動手段と、該駆動手段と上記ロックバーとの間に介在された弾性手段と、上記ロックバーのロック動作時における上記弾性手段の弾性変形量を検出する状態検出手段と、該状態検出手段により上記ロックバーが上記パレットに押圧している状態から該パレットによる押圧を解放された状態への変化が検出されたとき、上記ロックバーによるロックが外れたと判断する制御手段とを備えたことを特徴とするフォークリフトのパレットロック装置を提供する。
【０００７】
この第１の発明によれば、パレットのロックが不測に外れた場合に、これを確実に検出でき、その対策を実行することができる。
【０００８】
また第２の発明は、上記第１の発明において、上記制御手段は、上記ロックバーによるロックが外れたと判断したとき、上記ロックバーをロック解除動作させるよう上記駆動手段を制御することを特徴とするフォークリフトのパレットロック装置を提供する。
【０００９】
この第２の発明によれば、パレットのロックが不測に外れた場合に、自動的にロック解除させることができるので、ロックのやり直しなど、次の動作に機敏に移ることができる。
【００１０】
【発明の実施の形態】
本発明の一実施例に係るフォークリフトのパレットロック装置を図面に基づいて具体的に説明すれば、以下の通りである。図面において、図１は本発明の一実施例に係るフォークリフトのパレットロック装置の側面図であり、図２はこのパレットロック装置の平面図であり、図３はこのパレットロック装置を備えるオーダーピッキングトラックの側面図である。
【００１１】
この図３に示すように、このオーダーピッキングトラックは、ドライブホイール１と左右のロードホイール２との３輪により走行面を走行する車体３の後部にマスト４を備え、又、このマスト４に互いに他方に同行して昇降するように支持された運転台５及び左右のフォーク６を備えている。
【００１２】
運転台５の前部の左右両隅にそれぞれ隅柱７が立設され、両隅柱７の中間高さには操舵ハンドル、昇降制御操作具、走行制御操作具などを備える操縦パネルを支持させ、両隅柱７上端部にはヘッドガード８を支持させている。  又、運転台５のデッキ９には例えばデッドマン方式のブレーキペダルが設けられ、運転台５の下面に前記左右のフォーク６が固定されている。
【００１３】
そして、図１と図２とに示すように、運転台５のデッキ９の下側に、左右のフォーク６の間に位置させて本発明の一実施例に係るパレットロック装置１０が設けられている。
【００１４】
このパレットロック装置１０は、運転台５に支持されているベースプレート１１と、このベースプレート１１の後端部に左右のブラケット１２を介して支持されている支軸１３と、この支軸１３にその軸心周りに、即ち、左右軸心周りに回転自在に支持させた左右のロックバー１４とを備えている。
【００１５】
ここで、左右のロックバー１４は、その中間部どうしを連結枠１５で互いに連結することにより、支軸１３の周りを同期して回転するようにしている。
【００１６】
又、このパレットロック装置１０は左右のロックバー１４をロック動作方向に駆動するための駆動手段１６を備え、この駆動手段１６は前端部が軸１７を介して前記ベースプレート１１に枢支されている電動シリンダからなる駆動機１８と、この駆動機１８の出力部、即ち、ピストンロッド１９に連結されたリンク機構２０とを備えている。
【００１７】
図４はこのリンク機構２０の平面図であり、図１とこの図４とに示すように、このリンク機構２０は、下端部が前記ベースプレート１１に左右軸心周りに回転可能に支持され、上端部がピストンロッド１９に連接されている第１リンクアーム２１と、下端部が前記ベースプレート１１に左右軸心周りに回転可能に支持され、中間部ないし上端部が前記連結枠１５を前方から受止める第２リンクアーム２２と、第１リンクアーム２１の中間部を第２リンクアーム２２の上端部に連結する過剰動作吸収機構２３とを備えている。
【００１８】
この過剰動作吸収機構２３は、前端部が第１リンクアーム２１の中間部に左右軸心周りに回転可能に連接させてあるシャフト２４と、このシャフト２４の後端部がその軸方向に移動可能に挿通されると共に、前記第２リンクアーム２２の上端部に左右軸心周りに回転可能に連接させたブラケット２５と、このブラケット２５をシャフト２４の後端に向かって付勢する例えば圧縮コイルバネからなる弾性手段２６とを備え、ブラケット２５に対するシャフト２４の過剰動作を吸収すると共に、後述するロック状態においてロックバー１４を下デッキボード４６へ所定の接触圧で押圧するようにしている。
【００１９】
一方、前記ロックバー１４は連結枠１５とベースプレート１１とにわたって架着されている解除付勢手段２７により連結枠１５が前記第２リンクアーム２２に押圧される方向（解除方向）に付勢されている。
【００２０】
そして、図１に示すように、ロックバー１４は後端部が丸められた鏃形に形成され、その上にパレット４０が載っていないフリー状態では、前記解除付勢手段２７と駆動手段１６とによりその中間部がフォーク６の上面から突出し、下面がフォーク６の下面よりわずかに高い位置で水平に位置する解除位置に保持されるようにしている。
【００２１】
図５はパレット４０に差込んだフォーク６を上デッキプレート４１に当接するパレット検出位置に上昇させた状態における前記パレットロック装置１０の側面図であり、前記解除付勢手段２７の付勢力はパレット４０の重量よりも弱く設定してあるので、フォーク６が上デッキボード４１の下面に当接する高さまで上昇すると、この図５に示すように、ロックバー１４はパレット４０の重量で前記解除付勢手段２７の付勢力に抗してロック位置の方向に回転する。
【００２２】
ところで、図１と図４とに示すように、前記ベースプレート１１にはロックバー１４がフォーク６の上面以下に移動していることを検出する例えば磁気センサからなるパレット検出手段３２がブラケット４２を介して支持されている。
【００２３】
又、このパレット検出手段３２を駆動する磁石からなる駆動片４３はアーム４４及び連結枠１５を介してロックバー１４に支持され、図６に示すようにロックバー１４の最高部位がフォーク６の上面の高さまで押し下げられた時に前記駆動片４３がパレット検出手段３２から離隔して、前記パレット検出手段３２が例えばオンからオフに切替えられるようにしている。
【００２４】
これにより、動作モードがフリーモードからロック動作モードに切替えられて駆動機１８が始動され、第２リンクアーム２２が連結枠１５に追い付いて当接した後、更にピストンロッド１９、第１リンクアーム２１及びシャフト２４がブラケット２５及び第２リンクアーム２２に対して下限値Ａだけ過剰動作すると、弾性手段２６の付勢力が増大して解除付勢手段２７の付勢力に打ち勝ち、第２リンクアーム２２が連結枠１５を介してロックバー１４をロック位置に向かって駆動する。
【００２５】
もっとも、弾性手段２６をロック状態での解除付勢手段２７の付勢力よりも大きな組込み圧で組込んで、過剰動作なしにロックバー１４をロック位置まで駆動するようにしてもよい。なお、前記弾性手段２６の組込み高さ及び組込み圧は、前記シャフト２４の後端部に螺合させた調節ナット２８により、駆動機１８を短縮させた解除状態で前記第２リンクアーム２２が連結枠１５を受止めてロックバー１４を解除位置に牽制するように調整される。
【００２６】
図６はロックバー１４がパレット４０の下デッキボード４６に当接するロック位置まで下げられた時に前記パレットロック装置の側面図であり、この図６に示すように、ロックバー１４が下デッキボード４６に当接するロック位置まで駆動されると、ロックバー１４、連結枠１５及び第２リンクアーム２２は下デッキボード４６に牽制されるので、ピストンロッド１９、第１リンクアーム２１及びシャフト２４のブラケット２５に対する過剰動作量Ｘが更に増加し、例えば過剰動作量Ｘが上限値Ｂになると、ロックバー１４が所定の接触圧で下デッキボード４６に押圧され、ロックが完成する。
【００２７】
図７は前記過剰動作吸収機構２３を部分的に示す側面図であり、図４とこの図７とに示すように、前記シャフト２４の後端部には調節ナット２８の緩解を防止するために止めナット２８ａが螺合され、これら調節ナット２７と止めナット２８ａとに挟持させた駆動片２９により、後述するロック制御手段３０の過剰動作検出手段３１を駆動するようにしている。
【００２８】
又、図７に示すように、前記過剰動作検出手段３１は前記過剰動作吸収機構２３のブラケット２５にステー３５を介して支持させた例えばポテンショメータで構成され、その入力軸３６に固定したアーム３７の先端に設けたピン３８を前記駆動片２９に形成したＵ字溝３９に挿通することにより、過剰動作吸収機構２３のブラケット２５に対するシャフト２４の過剰動作量Ｘを検出するようにしている。
【００２９】
図８はパレット４０を荷置台に置き、フォーク６を上デッキボード４１から所定の距離以上離隔させた状態における前記パレットロック装置１０の側面図であり、この図８に示すように、パレット４０を荷置台に置き、フォーク６を上デッキボード４１から所定の距離以上離隔させると、ピストンロッド１９、第１リンクアーム２１及びシャフト２４に対してブラケット２５、第２リンクアーム２２、連結枠１５及びロックバー１４が過剰動作することになり、過剰動作量Ｘは前記上限値Ｂよりも大きくなる。
【００３０】
パレット４０が荷置台に置かれ、フォーク６及びロックバー１４を支障無くパレット４０から抜取れる高さになると、過剰動作量Ｘは例えば所定値Ｃになるので、過剰動作量Ｘが所定値Ｃになると、駆動機１８を逆作動させてロックを解除させる。
【００３１】
図１と図４とに示すように、前記ベースプレート１１には、前記駆動機１８が短縮されてピストンロッド１９が解除位置に位置することを検出する例えば磁気スィッチからなる解除検出手段３３がブラケット４５を介して支持されている。
【００３２】
この解除検出手段３３は前記駆動機１８が短縮して前記ピストンロッド１９、第１リンクアーム２１及びシャフト２４が解除位置に位置するときにオンになり、この第１リンクアーム２１が解除位置からロック位置方向に回転するとオフに切替えられるようにしている。
【００３３】
ところで、図９はロック状態で例えば下デッキプレート４６が脱落してロック状態が破られた状態における前記パレットロック装置１０の側面図であり、この図９の実線と図１の仮想線とで示すように、ロック状態で下デッキプレート４６によるロックバー１４の牽制が解除されると、前記弾性手段２６の付勢力によりロックバー１４がロック位置よりも下方に移動し、ロックバー１４、連結枠１５、第２リンクアーム２２及びブラケット２５に対するシャフト２４、第１リンクアーム２１及びピストンロッド１９の過剰動作量Ｘは０になる。
【００３４】
そこで、ロック状態においては、後述するように、過剰動作検出手段３１により検出された過剰動作量ＸがＢ以上である状態から０に変化すると、制御回路３４が動作モードを解除動作モードに変更設定し、駆動手段１６を逆作動させてロックバー１４を解除位置に復帰させるようにしている。
【００３５】
図１０はこのパレットロック装置のロック制御手段３０の回路ブロック図であり、この図１０に示すように、このロック制御手段３０は、過剰動作検出手段３１、パレット検出手段３２及び解除検出手段３３と、これらが接続される例えばマイクロプロセッサからなる制御回路３４とを備え、これら、過剰動作検出手段３１、パレット検出手段３２及び解除検出手段３３から与えられる情報に基づいて前記駆動機１８を作動させたり、逆作動させたり、停止させたりする。
【００３６】
図１１はこの制御回路３４において実行される制御プログラムのフロー図であり、オーダーピッキングトラックのメインキーをオンにした後、オフにするまでの間、適当な周期で繰返して実行される。
【００３７】
この制御プログラムが開始されると、先ず、パレットロック装置１０の各部分にエラーがあるか否かを調査するエラーチェック（Ｓ１）が実行され、エラー無しであることが確認される（Ｓ２）と、駆動機１８の動作モードが設定され（Ｓ３）、この設定結果に従って駆動機１８が制御される（Ｓ４）。
【００３８】
なお、エラーが検出された時には、重大エラーか否かが判定され（Ｓ５）、重大エラーであれば駆動機１８の作動及び逆作動が禁止され（Ｓ６）、非重大エラーであれば駆動機１８の作動のみを禁止して（Ｓ７）、更に、必要に応じて、例えばブザー、チャイム、警告灯、警告文字表示などによりオペレータにエラーがあることや、そのエラーの内容を知らせる警報が行われる（Ｓ８）。
【００３９】
ところで、駆動機１８の動作モードは、ロックバー１４が解除位置に保持されるフリーモード、ロックバー１４が解除位置からロック位置に駆動されるロック動作モード、ロックバー１４がロック位置に保持されるロックモード、及びロックバー１４がロック位置から解除位置に復帰する解除動作モードであり、これらの動作モードはこの順に繰返される。
【００４０】
図１２は前記動作モード設定プログラム（Ｓ３）のフロー図であり、図１３はこれに続く駆動機制御プログラム（Ｓ４）のフロー図であり、この図１２に示すように、この動作モード設定プログラム（Ｓ３）では、先ず、解除検出手段３３がオンであるか否かが判定され（Ｓ３１）、オンであると判定されると、パレット検出手段３２によりパレットが検出されているか否かが判定される（Ｓ３２）。
【００４１】
ここで、パレット検出手段３２がオンである（パレット非検出）と判定された場合には動作モードがフリーモードに設定され（Ｓ３３）、パレット検出手段３２がオフである（パレット検出）と判定された場合には動作モードがロック動作モードに設定される（Ｓ３４）。
【００４２】
前記解除検出手段３３がオフであると判定された場合には（Ｓ３１）、動作モードがロック動作モードであるか否かが判定される（Ｓ３５）。
【００４３】
動作モードがロック動作であると判定された場合（Ｓ３５）には、過剰動作量ＸがＢ以上であるか否かを判定することによってロックが完成しているか否かを判定する（Ｓ３６）。
【００４４】
即ち、ロックバー１４がパレット４０の下デッキボード４６に当接した後、駆動機１８の動作を連続させると、ロックバー１４、連結枠１５、第２リンクアーム２２及びブラケット２５に対してシャフト２４、第１リンクアーム２１及びピストンロッド１９が更に過剰に動作することになり、弾性手段２６が短縮されて、ロックバー１４が下デッキボード４６に当接する圧力が増大する。前記弾性手段２６の短縮量、即ち、過剰動作量Ｘが例えば上限値Ｂ以上になると、パレット４０は十分強固にフォーク６に固定される状態、即ち、ロック状態が完成されるので、Ｘ≧Ｂか否かを判定することによってロックが完成しているか否かを判定するのである（Ｓ３６）。
【００４５】
この判定（Ｓ３６）において、ロックが完成している、即ち、Ｘ≧Ｂと判定されると、動作モードがロックモードに設定変更される（Ｓ３７）。
【００４６】
動作モードがロック動作モードか否かの判定（Ｓ３６）においてロック動作モードではないと判定された場合には、動作モードがロックモードであるか否かを判定し（Ｓ３８）、ここでロックモードであると判定されると、前記過剰動作量Ｘが０であるか否かを判定することにより、何らかの理由でロックバー１４からパレット１４が外れ、ロック解除されているか否かを判定する（Ｓ３９）。又、この後に（又はこの前に）パレット４０が荷置面に置かれ、フォーク６が上デッキボード４１から一定以上離隔されたラック検出位置に位置するか否か、即ち、前記過剰動作量Ｘが所定値Ｃ以上になるラック検出か否かが判定され（Ｓ４１）、ロック解除（Ｘ＝０）又はラック検出（Ｘ≧Ｃ）であると判定される場合には動作モードをロック解除動作に設定変更する（Ｓ４０、Ｓ４２）。
【００４７】
動作モードがロックモードであるか否かの判定（Ｓ３８）においてロックモードではないと判定された場合には、動作モードがロック解除動作に設定されている場合であり、そのまま次の駆動機制御プログラム（Ｓ４）に移行する。
【００４８】
図１２に示すように、駆動機制御プログラム（Ｓ４）では、動作モード設定プログラムで設定された動作プログラムに従って駆動機１８を制御するが、先ず、動作モードがフリーモードであるか否かを判定し（Ｓ４３）、フリーモードであれば、駆動機１８が停止中か否かを判定し（Ｓ４４）、停止中であればなにもせずに駆動機制御プログラム（Ｓ４）を終る。
【００４９】
例えば解除モードからフリーモードに動作モードが切替った直後など、フリーモードにおいて、駆動機１８が停止中でない場合には、駆動機１８を停止させてから（Ｓ４３）、駆動機制御プログラム（Ｓ４）を終る。
【００５０】
フリーモードではないと判定された場合には（Ｓ４３）、動作モードがロック動作モードであるか否かを判定し（Ｓ４６）、ロック動作モードであると判定された場合には、前記シャフト２４のブラケット２５に対する過剰動作量Ｘが上限値Ｂ以上であるので、駆動機１８が動作中か否かを判定し（Ｓ４７）、駆動機１８が動作中ではないと判定される場合には、駆動機１８の作動を開始させてから（Ｓ４８）駆動機制御プログラム（Ｓ４）を終る。
【００５１】
ロック動作モードか否かの判定（Ｓ４６）において、ロック動作モードではないと判定されると、続いてロックモードであるか否かが判定され（Ｓ４９）、ここでロックモードであると判定されると、駆動機１８が作動中か否かを判定し（Ｓ５０）、作動中でなければ何もせずに駆動機制御プログラム（Ｓ４）を終える。
【００５２】
ロック動作モードからロックモードに切替った直後などには駆動機１８が作動中であると判定されることがある。この場合には、駆動機１８を停止させてから（Ｓ５１）、駆動機制御プログラム（Ｓ４）を終了する。
【００５３】
ロックモードか否かの判定（Ｓ４９）においてロックモードではないと判定されると、解除動作モードであるので、駆動機１８が逆作動中であるか否かを判定し（Ｓ５２）、逆作動中でなければ駆動機１８の逆作動を開始させて（Ｓ５３）、駆動機制御プログラム（Ｓ４）を終る。
【００５４】
次回以降に繰返される制御プログラムにおいて、解除検出手段３３がオンに切替ったことが検出されると（Ｓ３１）、パレットが検出されていないことを確認してから（Ｓ３２）、動作モードがフリーモードに設定され（Ｓ３３）、駆動機１８の逆動作が停止される（Ｓ４４、Ｓ４５）。
【００５５】
即ち、解除動作モードは、解除検出手段３３がオンに切替っても、フォーク６がパレット４０の上デッキボード４１から離隔していなければ繰返されるが、フォーク６がパレット４０の上デッキボード４１から一定以上離隔されて始めてフリー状態に動作モードが切替えられることになる。
【００５６】
以上に説明したように、このパレットロック装置１０は、前記ロックバー１４の下デッキボード４１への接触圧を設定する弾性手段２６と、この弾性手段２６の状態を検出する状態検出手段としての過剰動作検出手段３１と、制御回路３４とが設けられ、この制御回路３４が、過剰動作検出手段３１により検出されるブラケット２５に対するシャフト２４の過剰動作量ＸがＢ以上である正常なロック状態、即ち、ロックバー１４が下デッキボード４１により牽制されている時のロック状態から下デッキボード４６によりロックバー１４の牽制が解消されて、前記過剰動作量Ｘが０になるフリー状態に変化したことが検出されると、ロックバー１４を駆動する駆動手段１６を逆作動させてロックバー１４を前記解除位置に復帰させるので、このペレットロック装置１０によれば、以下の作用ないし効果を得ることができる。
【００５７】
パレット４０の上デッキボード４１や下デッキボード４６の分解、破損、パレット４０と周囲の障害物との衝突などによりロックバー１４からパレット４０が外れると、ロックバー１４がパレット４０の下デッキボード４６のよりロック位置に牽制されなくなるので、過剰動作検出手段３１により検出されるブラケット２５に対するシャフト２４の過剰動作量ＸがＢ以上である正常なロック状態から下デッキボード４６によりロックバー１４の牽制が解消されて前記過剰動作量Ｘが０になるフリー状態に変化したことが検出され、制御回路３４が駆動手段１６を逆作動させてロックバー１４を解除位置に復帰させるという作用を得ることができる。
【００５８】
この作用により、オペレータがパレット４０の上デッキボード４１や下デッキボード４６の分解、破損、パレット４０と周囲の障害物との衝突によるロックバー１４からのパレット４０の離脱など、オペレータが意図していない何らかの原因により生じるロック状態の破壊有無に気を配る煩わしさから解放されるという効果」を得ることができる。
【００５９】
また、この作用から、このようなオペレータが意図しないロック状態の破壊が発生した場合には、オペレータがロックバーを解除位置に復帰させる特別の操作をする必要がなく、オペレータの負担が軽減される上、その後にオペレータがロックバー１４をロック位置から更に下方に突き出したままフォーク６をパレット４０に差込むミスを確実に防止できるという効果を得ることができ、荷置面から荷物を載せたパレット４０を取上げる時にロックバー１４をパレット４０に引っ掛けてパレット４０を破損させたり、荷崩れを起こしたりするおそれを完全に無くすことができる。
【００６０】
図１４は本発明の他の実施例に係るフォークリフトのパレットロック装置１０の側面図であり、この図１４に示す実施例のリンク機構２０は、共通の支軸１４にそれぞれ回転自在に支持させた第１リンクアーム２１及び第２リンクアーム２２と、該支軸１４に巻き付けられ一端が第１リンクアーム２１の中間部に係止され、他端が第２リンクアーム２２の上端部に係止された弦巻ばねからなる弾性手段２６とを備え、この弾性手段２６の弾性変形によりピストンロッド１９及び第１リンクアーム２１に対する第２リンクアーム２２、連結枠１５及びロックバー１４の過剰動作を吸収するようにしている。
【００６１】
この実施例のその他の構成、作用ないし効果は前記本発明の一実施例のそれらと同様である。
【００６２】
【発明の効果】
以上に説明したように、本発明のパレットロック装置によれば、パレットのロックが不測に外れた場合に、これを確実に検出でき、その対策を実行することができるので、作業を遅滞なく取り進めることができる。
【図面の簡単な説明】
【図１】本発明の側面図である。
【図２】本発明の平面図である。
【図３】本発明が適用されるオーダーピッキングトラックの側面図である。
【図４】本発明のリンク機構の平面図である。
【図５】本発明のパレット検出時における側面図である。
【図６】本発明のロック動作モードにおける側面図である。
【図７】本発明の過剰動作吸収機構の側面図である。
【図８】本発明のラック検出時における側面図である。
【図９】本発明のロック状態が解除操作以外の理由で解除された時の側面図である。
【図１０】本発明のロック制御手段の回路ブロック図である。
【図１１】本発明の制御プログラムのフロー図である。
【図１２】本発明の動作モード設定プログラムのフロー図である。
【図１３】本発明の駆動機制御プログラムのフロー図である。
【図１４】本発明の側面図である。
【符号の説明】
６  フォーク
１０  パレットロック装置
１４  ロックバー
１６  駆動手段
１８  駆動機
２６  弾性手段
３１  過剰動作検出手段
３４  制御回路
４０  パレット
【図１】
2004277085.tif 000003
【図２】
2004277085.tif 000004
【図３】
2004277085.tif 000005
【図４】
2004277085.tif 000006
【図５】
2004277085.tif 000007
【図６】
2004277085.tif 000008
【図７】
2004277085.tif 000009
【図８】
2004277085.tif 000010
【図９】
2004277085.tif 000011
【図１０】
2004277085.tif 000012
【図１１】
2004277085.tif 000013
【図１２】
2004277085.tif 000014
【図１３】
2004277085.tif 000015
【図１４】
2004277085.tif 000016